(57)【要約】      （修正有）【課題】インクジェットプリンタのインクカートリッジ内に混入した気泡が、記録ヘッドに引き込まれるのを防止する。【解決手段】 インクカートリッジ２は、容器部分４と、蓋部分６を主として構成されている。蓋部分６の内、インク室１２の上部に位置する箇所には、リブ２２が突設されている。リブ２２が、インク室１２の左右方向略中央に位置されることにより、インク室１２の上方には空間２４ａ、２４ｂが形成される。インク室１２内にて発生した気泡は、浮力により上方へ移動し、空間２４ａ、２４ｂに到達する。そして一旦、空間２４ａに至った気泡は、インクカートリッジ２が振動されても、細かく分解されず、インク室１２中を漂って、供給口１６から記録ヘッドへ引き込まれることがない。【選択図】図１
2006096050.tif 000002
【特許請求の範囲】
【請求項１】
インクジェットプリンタのキャリッジに着脱自在に構成されたインクカートリッジであって、記録ヘッドにインクを供給するためのインク供給口と、該インク供給口に連通し、インクが収容されたインク室と、を備えたインクカートリッジにおいて、インク中に発生した気泡が接触すると、その位置に気泡をほぼ移動しないように留める気泡貯留部を前記インク室内の、当該インクカートリッジをキャリッジに装着した際に上方となる位置に形成したことを特徴とするインクジェットプリンタのインクカートリッジ。
【請求項２】
前記気泡貯留部が、前記インク室内において、当該インクカートリッジをキャリッジに装着した際に上方に位置する面に突設され、気泡がほぼ移動しない空間をつくる突起であることを特徴とする請求項１記載のインクジェットプリンタのインクカートリッジ。
【請求項３】
前記突起が、前記面に複数突設され、しかも該複数の突起同士の間隔が、インク中に発生する気泡の大きさに応じて設定されていることを特徴とする請求項２記載のインクジェットプリンタのインクカートリッジ。
【請求項４】
前記突起は、その中に気泡がほぼ移動しない空間を作るものであることを特徴とする請求項２記載のインクジェットプリンタのインクカートリッジ。
【請求項５】
前記上方に位置する面を開放した容器部分と、該面を構成する蓋部分とから成り、該蓋部分に前記突起を一体に形成したことを特徴とする請求項２記載のインクジェットプリンタのインクカートリッジ。
【請求項６】
前記インク室に隣接して該インク室と連通した、インクを含浸させたインク吸収体を備えるインク貯蔵室を更に有することを特徴とする請求項１〜５いずれかに記載のインクジェットプリンタのインクカートリッジ。
【発明の詳細な説明】
【技術分野】
【０００１】
本発明は、インクジェットプリンタ、特に記録ヘッドを備えたキャリッジが移動することによって記録媒体に画像を形成するタイプのインクジェットプリンタにおいて、キャリッジに着脱自在に構成されるインクカートリッジに関する。
【背景技術】
【０００２】
記録ヘッドが移動して画像を形成するタイプのインクジェットプリンタの、キャリッジ周辺の一例を図３に示す。図３は、インクカートリッジ（以下、単にカートリッジとも言う）３２をキャリッジ３４に設置した様子を示す側面図である。キャリッジ３４は、本図に垂直な方向に延接されているガイドレール３６に沿って移動可能にされており、キャリッジ３４に固定された記録ヘッド３８からインク滴を吐出して、図示しない記録媒体に、文字、図形等の画像を形成する。カートリッジ３２には、記録ヘッド３８へ供給するインクが充填されている。なお、カバー４０は、カートリッジ３２と記録ヘッド３８との接合部分などを埃から保護するためのものである。
【０００３】
記録ヘッド３８付近の断面図を図４に示す。本図に示すように、カートリッジ３２の前面（本図では左面）にはジョイント４２が設けられ、これがヘッドホルダ４３側に設けられたゴム製のシール材４４に密着してインク供給路を形成し、インクを記録ヘッド３８へ送り込む。
【発明の開示】
【発明が解決しようとする課題】
【０００４】
しかしながら、カートリッジ３２内のインクに気泡４６が発生すると、不都合な場合がある。すなわち、カートリッジ３２に振動等が加わると気泡４６が細かくされ、その細かな気泡がヘッドに引き込まれると吐出が不安定になったり不吐出となったりする。
【０００５】
本発明は掛かる課題に鑑みなされたものであり、請求項１に記載のインクカートリッジは、カートリッジ内のインクに発生した気泡が、記録ヘッドに引き込まれるのを防止することを目的としている。また、請求項２〜４に記載のインクカートリッジは、気泡貯留部の実施態様を提案するものである。
【０００６】
請求項５に記載のインクカートリッジは、気泡貯留部を容易に構成できるようにすることを目的としたものである。また、請求項６に記載のインクカートリッジは、気泡の発生を防止することを目的としたものである。
【課題を解決するための手段及び発明の効果】
【０００７】
かかる課題を解決するためになされた本発明の請求項１に記載のインクジェットプリンタのインクカートリッジは、インクジェットプリンタのキャリッジに着脱自在に構成されたインクカートリッジであって、記録ヘッドにインクを供給するためのインク供給口と、該インク供給口に連通し、インクが収容されたインク室と、を備えたインクカートリッジにおいて、インク中に発生した気泡が接触すると、その位置に気泡をほぼ移動しないように留める気泡貯留部を前記インク室内の、当該インクカートリッジをキャリッジに装着した際に上方となる位置に形成したことを特徴とする。
【０００８】
このようなカートリッジによれば、インク室内に混入した気泡は、浮力によって上方に移動し、気泡貯留部に集められる。気泡貯留部に接触した気泡は、その位置にほぼ留められ、インク供給口から排出されることがない。従って、請求項１に記載のカートリッジによれば、インク室内にて発生した気泡が記録ヘッドに引き込まれることはないので、インクの吐出が不安定になったり不吐出となったりすることがない。
【０００９】
気泡貯留部の具体的な構成としては、例えば、請求項２に記載のようにすると良い。すなわち、請求項２記載のカートリッジでは、前記気泡貯留部が、前記インク室内において、当該インクカートリッジをキャリッジに装着した際に上方に位置する面に突設され、気泡がほぼ移動しない空間を作る突起としている。
【００１０】
浮力によって、この空間に到達した気泡に振動が加わっても、突起によって気泡の運動が妨げられ、気泡が細かく砕かれるのを防止する。従って、請求項２に記載のカートリッジによれば、簡素な構成にて気泡貯留部が実現でき、インクの噴射の不安定化・不吐出を防止できる。
【００１１】
請求項３記載のカートリッジでは、請求項２記載のインクカートリッジにおいて、前記突起が、前記面に複数突設され、しかも該複数の突起同士の間隔が、インク中に発生する気泡の大きさに応じて設定されていることを特徴とする。例えば、気泡の直径が３ｍｍ以下であれば、振動を受けてもその気泡が更に細かい気泡に砕かれることは殆どないため、突起同士の間隔は３ｍｍ程度にすれば良い。
【００１２】
従って、請求項３に記載のカートリッジによれば、突起の間隔を適切に設定でき、突起の数も必要最小限におさめることができる。請求項４記載のカートリッジでは、請求項２記載のインクジェットプリンタのインクカートリッジにおいて、前記突起は、その中に気泡がほぼ移動しない空間を作るものであることを特徴とする。
【００１３】
このようにすると空間に捉えられた気泡は、その空間から離脱することは殆どできない。従って、請求項４に記載のカートリッジによれば、インク室内に発生した気泡が記録ヘッドに引き込まれるのを着実に防ぐことができる。請求項５記載のカートリッジでは、請求項２記載のカートリッジにおいて、前記上方に位置する面を開放した容器部分と該面を構成する蓋部分とから成り、該蓋部分に前記突起を一体に形成したことを特徴とする。
【００１４】
従って、請求項５に記載のカートリッジによれば、容器部分と蓋部分とに分けられ、突起が蓋部分に設けられているため、突起を容易に成形できる。請求項６記載のカートリッジでは、請求項２記載のカートリッジにおいて、前記インク室に隣接して該インク室と連通した、インクを含浸させたインク吸収体を備えるインク貯蔵室を更に有することを特徴とする。
【００１５】
従って、請求項６に記載のカートリッジによれば、貯蔵できるインクの量を増やしつつ、インクが揺動される箇所はインク室に限られるため、気泡が発生し難い。
【発明を実施するための最良の形態】
【００１６】
以下に本発明の一実施形態であるカートリッジ２について説明する。まず、図１はインクカートリッジ２を示したもので、図１（ａ）は、インクカートリッジ２の内部構造を示す断面図、図１（ｂ）は、カートリッジの蓋部分６の下方平面図、図１（ｃ）は、図１（ａ）のＡ−Ａ矢視図である。なお、インクカートリッジ２が用いられるインクジェットプリンタにおいて、インクカートリッジ２は、図１（ａ）に示すように蓋部分６を上側にして設置される。
【００１７】
図１（ａ）に示すように、インクカートリッジ２は、上面を開放した容器部分４と、その上面を覆う蓋部分６を主として構成されている。その内部は、仕切８によって２つに分けられ、容積の大きなインク貯蔵室１０と、インク室１２とが形成されている。インク貯蔵室１０にはインクが含浸された多孔質のインク吸収体が入れられ、インク室１２はインクのみが満たされた状態となっている。インク貯蔵室１０とインク室１２とは、仕切８の下端の流路１４にて繋がっており、インク貯蔵室１０のインクが流路１４からインク室１２へと供給される。インク室１２のインクは、供給口１６から記録ヘッドへと供給される。供給口１６の周囲に設けられたジョイント１８は、記録ヘッド側に設けられるシール材４４（図４）と係合する部分、また供給口１６を覆って設けられたフィルタ２０は、インク以外の異物が記録ヘッドに流入しないようにするためのもの、容器部分４の後端に設けられた小孔３０は、インク貯蔵室１０に大気圧を作用させるためのものである。
【００１８】
蓋部分６の内、インク室１２の上部に位置する箇所には、本発明の突起に相当するリブ２２が突設されている。リブ２２は、インク室１２の前後方向略中央に位置され、これにより、インク室１２の上方には空間２４ａ、２４ｂが形成されている。インク室１２内にて発生した気泡は、浮力により上方へ移動し、空間２４ａ（または空間２４ｂ）に到達する。一旦、空間２４ａに至った気泡は、再び下降してインク内を漂うことがない。従って、インクカートリッジ２が図示しないキャリッジと共に高速で移動されても、気泡が細かく分解されず、インク室１２中を漂って、供給口１６から記録ヘッドへ引き込まれることもない。
【００１９】
また、リブ２２が形成されている蓋部分６は、容器部分４と別体にされ、しかも図１（ｂ）に示すように極めて簡素な構造をしているため、リブや後述する多数の突起を小さい間隔で形成しても成形が容易であり、他方の容器部分４の成形も、容易となる。
【００２０】
そしてカートリッジ２内がインク室１２とインク貯蔵室１０とに分けられ、インク貯蔵室１０内のインクはインク吸収体に含浸された状態にされているため、インク貯蔵室１０においては、インクが波打つことはなく、気泡が発生しない。そしてインク室１２は、カートリッジ２の全容積に比べて狭くされているので、気泡が発生しにくい。
【００２１】
以上、本発明を適用した一実施形態について説明してきたが、本発明はこの実施形態に何等限定されるものではなく様々な態様で実施しうる。例えば、この実施形態では、空間２４ａ、２４ｂを形成するために、図１（ｃ）に示すような形状のリブ２２を形成したが、これ以外の形状のものでも良い。この例を図２に示す。図２（ａ）、図２（ｂ）はリブ２２に代えて角柱状の突起を設けたもの、図２（ｃ）、図２（ｄ）は突起を角柱状ではなく、円柱状にしたもの、図２（ｅ）、図２（ｆ）は内部に空間すなわちスリット状の溝を有する中空円筒状のものを突設したもの、図２（ｇ）、図２（ｈ）はリブ２２を図１に示したものよりも小さくし、向きを変えて３個形成したものである。なお、図１に示したものに対応する構成については同じ符号を付している。
【００２２】
図２（ａ）、図２（ｂ）のようにすると、インク室１２の上部が、図１に示したものよりも細分化されることになり、空間が小さくなる。従って、より細かな気泡を捉えたい場合に有効である。また、図２（ｃ）、図２（ｄ）のようにすると、円柱２２の側面が滑らかであるため、一旦捉えた気泡は、横方向の振動を受けても破裂しにくい。
【００２３】
図２http://www6.ipdl.ncipi.go.jp/Tokujitu/tjitemdrw.ipdl?N0000=231&N0500=1E_N/;>?=;;97<///&N0001=413&N0552=9&N0553=000004（ｅ）、図２（ｆ）のようにすると、インク室１２の上部が図２（ａ）、図２（ｂ）のものよりも更に細分化され、また、円筒内の空間に捕獲されたものについては、殆ど離脱することがなく、気泡が記録ヘッドに引き込まれるのを防ぐことができる。
【００２４】
図２（ｇ）、図２（ｈ）のようにすると、図２（ａ）〜図２（ｆ）に示したものに比べ、空間は大きくなる。しかし、インクジェットプリンタの稼働中にインクに掛かる加速度は、主に横方向（図１において図面に垂直な方向）であり、この方向にはリブ２２の間隔が狭くなっているので、気泡を保持する能力は図１に示したものに比べて高くなる。
【００２５】
また、これ以外の形状にしても良く、例えば、図２（ｃ）、図２（ｄ）に示した突起を円錐としても良く、また、図２（ｅ）、図２（ｆ）に示した中空円筒状の突起をスリット状の溝を有しないものにしても良い。なお、本インクカートリッジは、供給口１６が水平向きだけでなく、斜め下向きの状態で使用しても、リブ２２や突起が上方に位置するため、同様の効果を達成することができる。
【図面の簡単な説明】
【００２６】
【図１】本発明を適用したインクカートリッジ２を示す説明図である。
【図２】カートリッジ２の蓋部分６に形成する突起の形状を示す説明図である。
【図３】カートリッジ３２がキャリッジ３４に嵌められた様子を示す側面図である。
【図４】カートリッジ３２および記録ヘッド３８の拡大断面図である。
【符号の説明】
【００２７】
２…インクカートリッジ ４…容器部分 ６…蓋部分
１０…インク貯蔵室 １２…インク室
２２…リブ（気泡貯留部） ２４ａ、２４ｂ…空間
【図１】
2006096050.tif 000003
【図２】
2006096050.tif 000004
【図３】
2006096050.tif 000005
【図４】
2006096050.tif 000006
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
インクジェットプリンタのキャリッジに着脱自在に構成されたインクカートリッジであって、
記録ヘッドにインクを供給するためのインク供給口と、
該インク供給口に連通し、インクが満たされたインク室と、
該インク室内の、当該インクカートリッジを前記キャリッジに装着した際に上方となる位置に形成された、インク中に発生した気泡を留める気泡貯留部と備え、
該気泡貯留部は、当該インクカートリッジを前記キャリッジに装着した際に上方に位置する面と、該上方に位置する面から下方に向けて前記インク室内に突出する複数の突起とによって形成され、前記インク室内に発生し浮力により上方に移動して前記上方に位置する面に接した気泡を前記複数の突起の間に閉じ込める空間からなることを特徴とするインクジェットプリンタのインクカートリッジ。
【請求項２】
インクジェットプリンタのキャリッジに着脱自在に構成されたインクカートリッジであって、
記録ヘッドにインクを供給するためのインク供給口と、
該インク供給口に連通し、インクが満たされたインク室と、
前記インク室内の、当該インクカートリッジを前記キャリッジに装着した際に上方となる位置に形成された、インク中に発生した気泡を留める気泡貯留部とを備え、
該気泡貯留部は、前記インク室の、当該インクカートリッジを前記キャリッジに装着した際に上方に位置する面及び側方に位置する面と、該上方に位置する面から下方に向けて前記インク室内に突出する突起とによって形成され、前記インク室内に発生し浮力により上方に移動して前記上方に位置する面に接した気泡を前記側方に位置する面と前記突起との間に閉じ込める空間からなることを特徴とするインクジェットプリンタのインクカートリッジ。
【請求項３】
前記上方に位置する面を開放した容器部分と、該面を構成する蓋部分とからなり、該蓋部分に前記突起を一体に形成したことを特徴とする請求項１又は２に記載のインクカートリッジ。
【手続補正２】
【補正対象書類名】明細書
【補正対象項目名】全文
【補正方法】変更
【補正の内容】
【発明の詳細な説明】
【技術分野】
【０００１】
本発明は、インクジェットプリンタ、特に記録ヘッドを備えたキャリッジが移動することによって記録媒体に画像を形成するタイプのインクジェットプリンタにおいて、キャリッジに着脱自在に構成されるインクカートリッジに関する。
【背景技術】
【０００２】
記録ヘッドが移動して画像を形成するタイプのインクジェットプリンタの、キャリッジ周辺の一例を図３に示す。図３は、インクカートリッジ（以下、単にカートリッジとも言う）３２をキャリッジ３４に設置した様子を示す側面図である。キャリッジ３４は、本図に垂直な方向に延接されているガイドレール３６に沿って移動可能にされており、キャリッジ３４に固定された記録ヘッド３８からインク滴を吐出して、図示しない記録媒体に、文字、図形等の画像を形成する。カートリッジ３２には、記録ヘッド３８へ供給するインクが充填されている。なお、カバー４０は、カートリッジ３２と記録ヘッド３８との接合部分などを埃から保護するためのものである。
【０００３】
記録ヘッド３８付近の断面図を図４に示す。本図に示すように、カートリッジ３２の前面（本図では左面）にはジョイント４２が設けられ、これがヘッドホルダ４３側に設けられたゴム製のシール材４４に密着してインク供給路を形成し、インクを記録ヘッド３８へ送り込む。
【発明の開示】
【発明が解決しようとする課題】
【０００４】
しかしながら、カートリッジ３２内のインクに気泡４６が発生すると、不都合な場合がある。すなわち、カートリッジ３２に振動等が加わると気泡４６が細かくされ、その細かな気泡がヘッドに引き込まれると吐出が不安定になったり不吐出となったりする。
【０００５】
本発明は掛かる課題に鑑みなされたものであり、請求項１及び請求項２に記載のインクカートリッジは、カートリッジ内のインクに発生した気泡が、記録ヘッドに引き込まれるのを防止することを目的としている。
【０００６】
請求項３に記載のインクカートリッジは、気泡貯留部を容易に構成できるようにすることを目的としたものである。
【課題を解決するための手段及び発明の効果】
【０００７】
かかる課題を解決するためになされた本発明の請求項１に記載のインクジェットプリンタのインクカートリッジは、インクジェットプリンタのキャリッジに着脱自在に構成されたインクカートリッジであって、記録ヘッドにインクを供給するためのインク供給口と、該インク供給口に連通し、インクが満たされたインク室と、該インク室内の、当該インクカートリッジを前記キャリッジに装着した際に上方となる位置に形成された、インク中に発生した気泡を留める気泡貯留部と備え、該気泡貯留部は、当該インクカートリッジを前記キャリッジに装着した際に上方に位置する面と、該上方に位置する面から下方に向けて前記インク室内に突出する複数の突起とによって形成され、前記インク室内に発生し浮力により上方に移動して前記上方に位置する面に接した気泡を前記複数の突起の間に閉じ込める空間からなることを特徴とする。
また、請求項２に記載のインクジェットプリンタのインクカートリッジは、インクジェットプリンタのキャリッジに着脱自在に構成されたインクカートリッジであって、記録ヘッドにインクを供給するためのインク供給口と、該インク供給口に連通し、インクが満たされたインク室と、前記インク室内の、当該インクカートリッジを前記キャリッジに装着した際に上方となる位置に形成された、インク中に発生した気泡を留める気泡貯留部とを備え、該気泡貯留部は、前記インク室の、当該インクカートリッジを前記キャリッジに装着した際に上方に位置する面及び側方に位置する面と、該上方に位置する面から下方に向けて前記インク室内に突出する突起とによって形成され、前記インク室内に発生し浮力により上方に移動して前記上方に位置する面に接した気泡を前記側方に位置する面と前記突起との間に閉じ込める空間からなることを特徴とする。
【０００８】
このようなカートリッジによれば、インク室内に混入した気泡は、浮力によって上方に移動し、気泡貯留部に集められる。気泡貯留部に接触した気泡は、その位置にほぼ留められ、インク供給口から排出されることがない。従って、請求項１又は請求項２に記載のカートリッジによれば、インク室内にて発生した気泡が記録ヘッドに引き込まれることはないので、インクの吐出が不安定になったり不吐出となったりすることがない。
【０００９】
【００１０】
【００１１】
【００１２】
【００１３】
請求項３記載のカートリッジでは、請求項１又は請求項２に記載のカートリッジにおいて、前記上方に位置する面を開放した容器部分と該面を構成する蓋部分とから成り、該蓋部分に前記突起を一体に形成したことを特徴とする。
【００１４】
従って、請求項３に記載のカートリッジによれば、容器部分と蓋部分とに分けられ、突起が蓋部分に設けられているため、突起を容易に成形できる。
【００１５】
【発明を実施するための最良の形態】
【００１６】
以下に本発明の一実施形態であるカートリッジ２について説明する。まず、図１はインクカートリッジ２を示したもので、図１（ａ）は、インクカートリッジ２の内部構造を示す断面図、図１（ｂ）は、カートリッジの蓋部分６の下方平面図、図１（ｃ）は、図１（ａ）のＡ−Ａ矢視図である。なお、インクカートリッジ２が用いられるインクジェットプリンタにおいて、インクカートリッジ２は、図１（ａ）に示すように蓋部分６を上側にして設置される。
【００１７】
図１（ａ）に示すように、インクカートリッジ２は、上面を開放した容器部分４と、その上面を覆う蓋部分６を主として構成されている。その内部は、仕切８によって２つに分けられ、容積の大きなインク貯蔵室１０と、インク室１２とが形成されている。インク貯蔵室１０にはインクが含浸された多孔質のインク吸収体が入れられ、インク室１２はインクのみが満たされた状態となっている。インク貯蔵室１０とインク室１２とは、仕切８の下端の流路１４にて繋がっており、インク貯蔵室１０のインクが流路１４からインク室１２へと供給される。インク室１２のインクは、供給口１６から記録ヘッドへと供給される。供給口１６の周囲に設けられたジョイント１８は、記録ヘッド側に設けられるシール材４４（図４）と係合する部分、また供給口１６を覆って設けられたフィルタ２０は、インク以外の異物が記録ヘッドに流入しないようにするためのもの、容器部分４の後端に設けられた小孔３０は、インク貯蔵室１０に大気圧を作用させるためのものである。
【００１８】
蓋部分６の内、インク室１２の上部に位置する箇所には、本発明の突起に相当するリブ２２が突設されている。リブ２２は、インク室１２の前後方向略中央に位置され、これにより、インク室１２の上方には空間２４ａ、２４ｂが形成されている。インク室１２内にて発生した気泡は、浮力により上方へ移動し、空間２４ａ（または空間２４ｂ）に到達する。一旦、空間２４ａに至った気泡は、再び下降してインク内を漂うことがない。従って、インクカートリッジ２が図示しないキャリッジと共に高速で移動されても、気泡が細かく分解されず、インク室１２中を漂って、供給口１６から記録ヘッドへ引き込まれることもない。
【００１９】
また、リブ２２が形成されている蓋部分６は、容器部分４と別体にされ、しかも図１（ｂ）に示すように極めて簡素な構造をしているため、リブや後述する多数の突起を小さい間隔で形成しても成形が容易であり、他方の容器部分４の成形も、容易となる。
【００２０】
そしてカートリッジ２内がインク室１２とインク貯蔵室１０とに分けられ、インク貯蔵室１０内のインクはインク吸収体に含浸された状態にされているため、インク貯蔵室１０においては、インクが波打つことはなく、気泡が発生しない。そしてインク室１２は、カートリッジ２の全容積に比べて狭くされているので、気泡が発生しにくい。
【００２１】
以上、本発明を適用した一実施形態について説明してきたが、本発明はこの実施形態に何等限定されるものではなく様々な態様で実施しうる。例えば、この実施形態では、空間２４ａ、２４ｂを形成するために、図１（ｃ）に示すような形状のリブ２２を形成したが、これ以外の形状のものでも良い。この例を図２に示す。図２（ａ）、図２（ｂ）はリブ２２に代えて角柱状の突起を設けたもの、図２（ｃ）、図２（ｄ）は突起を角柱状ではなく、円柱状にしたもの、図２（ｅ）、図２（ｆ）は内部に空間すなわちスリット状の溝を有する中空円筒状のものを突設したもの、図２（ｇ）、図２（ｈ）はリブ２２を図１に示したものよりも小さくし、向きを変えて３個形成したものである。なお、図１に示したものに対応する構成については同じ符号を付している。
【００２２】
図２（ａ）、図２（ｂ）のようにすると、インク室１２の上部が、図１に示したものよりも細分化されることになり、空間が小さくなる。従って、より細かな気泡を捉えたい場合に有効である。また、図２（ｃ）、図２（ｄ）のようにすると、円柱２２の側面が滑らかであるため、一旦捉えた気泡は、横方向の振動を受けても破裂しにくい。
【００２３】
図２（ｅ）、図２（ｆ）のようにすると、インク室１２の上部が図２（ａ）、図２（ｂ）のものよりも更に細分化され、また、円筒内の空間に捕獲されたものについては、殆ど離脱することがなく、気泡が記録ヘッドに引き込まれるのを防ぐことができる。
【００２４】
図２（ｇ）、図２（ｈ）のようにすると、図２（ａ）〜図２（ｆ）に示したものに比べ、空間は大きくなる。しかし、インクジェットプリンタの稼働中にインクに掛かる加速度は、主に横方向（図１において図面に垂直な方向）であり、この方向にはリブ２２の間隔が狭くなっているので、気泡を保持する能力は図１に示したものに比べて高くなる。
【００２５】
また、これ以外の形状にしても良く、例えば、図２（ｃ）、図２（ｄ）に示した突起を円錐としても良く、また、図２（ｅ）、図２（ｆ）に示した中空円筒状の突起をスリット状の溝を有しないものにしても良い。なお、本インクカートリッジは、供給口１６が水平向きだけでなく、斜め下向きの状態で使用しても、リブ２２や突起が上方に位置するため、同様の効果を達成することができる。
【図面の簡単な説明】
【００２６】
【図１】本発明を適用したインクカートリッジ２を示す説明図である。
【図２】カートリッジ２の蓋部分６に形成する突起の形状を示す説明図である。
【図３】カートリッジ３２がキャリッジ３４に嵌められた様子を示す側面図である。
【図４】カートリッジ３２および記録ヘッド３８の拡大断面図である。
【符号の説明】
【００２７】
２…インクカートリッジ ４…容器部分 ６…蓋部分
１０…インク貯蔵室 １２…インク室
２２…リブ（気泡貯留部） ２４ａ、２４ｂ…空間